(57)【要約】【課題】  従来なかった新規な番組に対応できる信号処理装置、番組再生装置を実現する。【解決手段】  信号処理装置は、映像信号と音声信号を含む放送番組から特定の音声信号を検出する音声信号検出回路と、画像処理プロセッサを制御する制御部とを有しており、音声信号検出回路が前記特定の音声信号を検出すると音声信号検出回路は前記制御部を制御するための制御信号を生成し、前記制御部は前記特定の音声信号に対応した特定の画像及び／又はテキストと前記映像信号に従って表示される放送番組の画像を合成することにより特定の画像及び／又はテキストを表示するように前記制御信号に従って前記画像処理プロセッサを制御する。【選択図】  図１
2006148870.tif 000002
【特許請求の範囲】
【請求項１】
映像信号と音声信号を含む放送番組から特定の音声信号を検出する音声信号検出回路と、
画像処理プロセッサを制御する制御部と
を有しており、
音声信号検出回路が前記特定の音声信号を検出すると音声信号検出回路は前記制御部を制御するための制御信号を生成し、
前記制御部は前記特定の音声信号に対応した特定の画像及び／又はテキストと前記映像信号に従って表示される放送番組の画像を合成することにより特定の画像及び／又はテキストを表示するように前記制御信号に従って前記画像処理プロセッサを制御する
信号処理装置。
【請求項２】
複数の音声信号を検出する音声信号検出回路と、
周辺装置のインターフェースを制御するための制御部と
を有しており、
前記音声信号検出回路が所定の時間内に前記複数の特定の音声信号を検出すると音声信号検出回路は前記制御部を制御するための制御信号を生成し、
前記制御部は前記複数の特定の音声信号に従って周辺装置の所定の制御を選択的に実行する
信号処理装置。
【請求項３】
前記特定の音声信号は、特定のキーワードを表す音声信号である請求項１記載の信号処理装置。
【請求項４】
番組再生装置であって、
請求項１に記載の信号処理装置と、
前記音声信号を再生して出力するスピーカーと、
を有する番組再生装置。
【請求項５】
映像信号と音声信号を含む放送番組から特定の音声信号を検出する音声信号検出ステップと、
画像処理プロセッサを制御する制御ステップと
を有しており、
音声信号検出ステップでは、前記特定の音声信号を検出すると音声信号検出回路は前記制御部を制御するための制御信号を生成し、
前記制御ステップでは、前記特定の音声信号に対応した特定の画像及び／又はテキストと前記映像信号に従って表示される放送番組の画像を合成することにより特定の画像及び／又はテキストを表示するように前記制御信号に従って前記画像処理プロセッサを制御する
信号処理方法。
【請求項６】
複数の音声信号を検出する音声信号検出ステップと、
周辺装置のインターフェースを制御するための制御ステップと
を有しており、
前記音声信号検出ステップでは、所定の時間内に前記複数の特定の音声信号を検出すると音声信号検出回路は前記制御部を制御するための制御信号を生成し、
前記制御ステップでは、前記複数の特定の音声信号に従って周辺装置の所定の制御を選択的に実行する
信号処理方法。
【請求項７】
コンピュータに、
映像信号と音声信号を含む放送番組から特定の音声信号を検出する音声信号検出ステップと、
画像処理プロセッサを制御する制御ステップと
を実行させる信号処理プログラムであり、
音声信号検出ステップでは、前記特定の音声信号を検出すると音声信号検出回路は前記制御部を制御するための制御信号を生成し、
前記制御ステップでは、前記特定の音声信号に対応した特定の画像及び／又はテキストと前記映像信号に従って表示される放送番組の画像を合成することにより特定の画像及び／又はテキストを表示するように前記制御信号に従って前記画像処理プロセッサを制御する
信号処理プログラム。
【請求項８】
コンピュータに、
複数の音声信号を検出する音声信号検出ステップと、
周辺装置のインターフェースを制御するための制御ステップと
を実行させる信号処理プログラムであり、
前記音声信号検出ステップでは、所定の時間内に前記複数の特定の音声信号を検出すると音声信号検出回路は前記制御部を制御するための制御信号を生成し、
前記制御ステップでは、前記複数の特定の音声信号に従って周辺装置の所定の制御を選択的に実行する
信号処理プログラム。
【請求項９】
画像および音声を出力する出力手段と、
画像もしくは音声またはこれらの組み合わせからなるパターンをユーザーに登録させるパターン登録手段と、
登録されたパターンに関連して実行されるアクションをユーザーに指定させるアクション指定手段と、
入力された画像信号または音声信号に前記パターンが含まれるか否か判定する判定手段と、
前記パターンが含まれない場合は記憶された画像信号および音声信号を前記出力手段に出力し、前記パターンが含まれる場合は前記指定されたアクションを前記出力手段に実行させる制御手段と、
を備える画像表示装置。
【請求項１０】
前記アクションは、前記記憶された画像信号および音声信号に替えて、予め指定された画像または音声を出力するものである請求項９記載の画像表示装置。
【請求項１１】
ユーザーからの入力を受け付ける入力手段をさらに有し、
前記アクションは、前記画像信号および音声信号の出力を一時停止した上で、前記入力手段によりユーザーからの入力を受け付けるものである請求項９記載の画像表示装置。
【請求項１２】
前記パターンは、前記画像信号に商品販売価格の画像が含まれるか否かを判定するためのものであり、
前記アクションは、前記入力手段によりユーザーから希望価格の入力を受け付けた後、前記画像信号の商品販売価格と並べて前記入力された希望価格を表示するものである請求項１１記載の画像表示装置。
【請求項１３】
入力された画像信号および／または音声信号に予め登録されたパターンが含まれるか否
かを判定し、前記パターンが含まれる場合は予め指定されたアクションを画像および／または音声を出力する出力手段に実行させる画像表示方法。
【発明の詳細な説明】
【技術分野】
【０００１】
本発明は、デジタル放送システム及びそのシステムにおける受信機に用いられる技術に関し、特に、放送波中に含まれる音声信号に従って受信機、或いはその受信機に接続される機器を制御する信号処理技術に関する。
【背景技術】
【０００２】
ＢＳデジタル放送、地上波デジタル放送等、テレビ放送のデジタル化が本格化している。これらデジタル放送のサービスにおいて、受信ユーザーとの双方向サービスを可能とするデータ放送がある。このデータ放送については、社団法人  電波産業会（ＡＲＩＢ）による標準規格書である「デジタル放送におけるデータ放送符号化方式と伝送方式」等に記述されている。
【０００３】
上述のデータ放送においては、イベントメッセージ伝送方式があり、これによれば、放送局から受信装置で動作しているアプリケーションに対し、メッセージ情報を送り、受信装置は、そのメッセージ情報をトリガとして、指定された動作を実行することになる。例えば、放送されている番組に同期して、受信装置に接続されたディスプレイ画面上に表示される番組映像にグラフィックを多重表示したり、Ｄ−ＶＨＳ、ハードディスクレコーダ、ＤＶＣ（Digital Video Camera）等のデータ記録機器を制御し、番組コンテンツを記録したり、プリンタを制御し、番組コンテンツを印刷制御する事も可能となる。
【０００４】
以下、図１１、図１２を用いて従来のデジタル放送における送信側システム及び受信側における主にデータ受信、再構成部分についての説明を行う。
【０００５】
ＡＶ（audio visual）コンテンツ符号化装置１００１は、映像コンテンツデータ、音声コンテンツデータの記録されたＶＴＲ機器からのデータを読み出して、ＭＰＥＧ２等の圧縮、符号化を施し、符号化された映像及び音声を含むエレメンタリーストリーム（以降、ＥＳ）を生成してＡＶコンテンツ生成・送出装置１００２に出力する。
【０００６】
ＡＶコンテンツ生成・送出装置１００２は、ＡＶコンテンツ符号化装置１００１から出力された映像及び音声の各ＥＳの同期化を行い、多重化装置１００９に出力する。
【０００７】
データコンテンツ生成装置１００３は、ＢＭＬデータやＰＮＧ、ＪＰＥＧデータ等のモノメディアデータをはじめとするデータ放送用コンテンツを製作、セクションデータ化し、データコンテンツ送出装置１００４に出力する。
【０００８】
データコンテンツ送出装置１００４は、データコンテンツ生成装置１００３からのデータを定められた送出スケジュールに従いカルーセル化し、多重化装置１００９に送出する装置である。
【０００９】
イベントメッセージ生成装置１００５は、汎用イベントメッセージ記述子やＮＰＴ（Normal Play Time）参照記述子をはじめとするストリーム記述子を作成、セクションデータ化し、イベントメッセージ送出装置１００６に出力する。
【００１０】
イベントメッセージ送出装置１００６は、イベントメッセージ生成装置１００５からのデータを、定められた送出スケジュール又は装置操作者の任意のタイミングにより、多重化装置１００９に出力する。
【００１１】
番組情報生成装置１００７は、ＥＩＴ（Event Information Table）をはじめとする放
送番組のスケジュールに関する情報をセクションデータ化し、番組情報送出装置１００８に出力する。
【００１２】
番組情報送出装置１００８は、番組情報生成装置１００７からのデータを、定められた送出タイミングにより、多重化装置１００９に出力する。
【００１３】
多重化装置１００９は、ＡＶコンテンツ生成・送出装置１００２、データコンテンツ送出装置１００４、イベントメッセージ送出装置１００６からのストリーム、データをパケット化、多重化しトランスポートストリーム（以降、ＴＳ）を生成し、図示しない後段のデジタル変調器に出力する。
【００１４】
図１２は、従来のデジタル放送受信装置において、不図示のアンテナ、チューナーを介し受信、復調したＴＳから、デマルチプレクサ１１１０により映像データ、音声データ、及びデータ放送データを取り出す場合の説明図である。
【００１５】
図１２において、１１０１は、複数チャンネル分の映像データ、音声データ、及び電子番組ガイド（ＥＰＧ）を構成するＳＩデータ、データ放送データが時分割多重されているＴＳを示す。
【００１６】
ＴＳは一定サイズのパケット（ＴＳパケット）単位で構成され、各ＴＳパケットのヘッダ部１１０２には、ＴＳパケットに含まれるデータ種別等を識別する為の識別子であるＰＩＤ（Packet Identifier）が付与されている。また、ＴＳパケットのペイロード部１１
０３に分割されているＰＳＩ（Program Specific Information）データ１１０７、ＳＩ（Service Information）データ１１０９、データ放送データ１１０８には、そのデータの
種類により、異なるＴａｂｌｅＩＤが付与されている。そのＴａｂｌｅＩＤにより、セクションフィルタ１１１２は、ＰＳＩデータ１１０７、ＳＩデータ１１０９、データ放送データ１１０８のデータを取り分け、データストリーム処理部１１０６に送出する事になる。
【００１７】
映像データ、音声データを取り出す際には、デマルチプレクサ１１１０においては、まずＰＩＤフィルタ１１１１とセクションフィルタ１１１２を用いて、所定のＴＳパケットのペイロード部１１０３にあるＰＳＩデータ１１０７を取り出し、データストリーム処理部１１０６に送出する。ＰＳＩ１１０７はＴＳ１１０１全体の内容を定義するものである。そのＰＳＩデータ１１０７の解析処理後、デマルチプレクサ１１１０は、これらの情報を用いて、映像データ、音声データを取り出し、各々、ビデオデコーダ１１０４、オーディオデコーダ１１０５へ出力する。
【００１８】
以下、データ放送データ１１０８についての説明を行なう。データ放送データ１１０８は、（１）データカルーセル伝達方式で伝送されるＤＩＩ（Download Info Indication）、（２）ＤＤＢ（Download Data Block）、及び（３）イベントメッセージ伝送方式で伝
送されるイベントメッセージ（ストリーム記述子）に大別される。
【００１９】
（１）ＤＩＩは、ＢＭＬデータや、ＰＮＧ、ＪＰＥＧ等のモノメディアデータをはじめとするデータ放送コンテンツモジュールの伝送パラメータや各モジュールの属性情報を記述するセクションデータである。
【００２０】
（２）ＤＤＢは、モジュールを一定の大きさのブロックに分割したセクションデータである。
【００２１】
（３）イベントメッセージ（ストリーム記述子）は、データカルーセル伝達方式で伝送されるＤＩＩ、ＤＤＢと組み合わせ、受信装置アプリケーションに対する同期、非同期のメセージ通知に用いられ、先にも述べたように、汎用イベントメッセージ記述子やＮＰＴ参照記述子等を含むセクションデータである。
【００２２】
受信装置において、データ放送サービスを受信、表示中は、ＢＭＬコンテンツや放送局から指定されるイベントメッセージを複数、同時にＰＩＤフィルタ１０１１とセクションフィルタ１１１２を用いて、常に受信し、取り分けたイベントメッセージの種別により所定の制御動作を実行する事となる。
【００２３】
また特開昭６３−１９０４３８号公報には、音声信号に低周波制御信号を混合して送信し、ＶＴＲにおいてコマーシャルを記録しないように制御する構成が開示されている。
【００２４】
また、未成年者に有害な画像を見せるのを未然に防ぐための方法として、Ｖチップが知られている（特開平１１−３１７９１３号公報参照）。この方法は、テレビ等に搭載された専用のＶチップが、コンテンツに付加された格付けデータ（「成人向け」、「保護者と一緒に観るほうが良い」等の属性情報）を読み取り、そのコンテンツを表示して良いかどうか決定するというものである。
【特許文献１】特開昭６３−１９０４３８号公報
【特許文献２】特開平１１−３１７９１３号公報
【発明の開示】
【発明が解決しようとする課題】
【００２５】
本願にかかわる発明のうちの少なくとも一部の発明の目的は、従来なかった新規な番組に対応できる信号処理装置、信号処理方法、信号処理プログラム及び番組再生装置を実現することにある。
【課題を解決するための手段】
【００２６】
また本願にかかわる発明のうちの少なくとも一部の発明の目的は、コンテンツに属性情報が付加されていない場合であっても好ましくないコンテンツの出力を適切に制御可能な画像表示装置および方法を提供することにある。
【００２７】
本発明の信号処理装置は、映像信号と音声信号を含む放送番組から特定の音声信号を検出する音声信号検出回路と、画像処理プロセッサを制御する制御部とを有しており、音声信号検出回路が特定の音声信号を検出すると音声信号検出回路は制御部を制御するための制御信号を生成し、制御部は特定の音声信号に対応した特定の画像及び／又はテキストと映像信号に従って表示される放送番組の画像を合成することにより特定の画像及び／又はテキストを表示するように制御信号に従って画像処理プロセッサを制御することを特徴とする。
【００２８】
また、本発明の番組再生装置は、上記信号処理装置と、前記音声信号を再生して出力するスピーカーと、を有することを特徴とする。
【００２９】
また、本発明の信号処理装置は、複数の音声信号を検出する音声信号検出回路と、周辺装置のインターフェースを制御するための制御部とを有しており、音声信号検出回路が所定の時間内に複数の特定の音声信号を検出すると音声信号検出回路は制御部を制御するための制御信号を生成し、制御部は複数の特定の音声信号に従って周辺装置の所定の制御を選択的に実行することを特徴とする。
【００３０】
また、本発明の信号処理方法は、映像信号と音声信号を含む放送番組から特定の音声信号を検出する音声信号検出ステップと、画像処理プロセッサを制御する制御ステップとを有しており、音声信号検出ステップでは、特定の音声信号を検出すると音声信号検出回路は制御部を制御するための制御信号を生成し、制御ステップでは、特定の音声信号に対応した特定の画像及び／又はテキストと映像信号に従って表示される放送番組の画像を合成することにより特定の画像及び／又はテキストを表示するように制御信号に従って画像処理プロセッサを制御することを特徴とする。
【００３１】
また、本発明の信号処理方法は、複数の音声信号を検出する音声信号検出ステップと、周辺装置のインターフェースを制御するための制御ステップとを有しており、音声信号検出ステップでは、所定の時間内に複数の特定の音声信号を検出すると音声信号検出回路は制御部を制御するための制御信号を生成し、制御ステップでは、複数の特定の音声信号に従って周辺装置の所定の制御を選択的に実行することを特徴とする。
【００３２】
また、本発明の信号処理プログラムは、映像信号と音声信号を含む放送番組から特定の音声信号を検出する音声信号検出ステップと、画像処理プロセッサを制御する制御ステップとを実行する信号処理プログラムであり、音声信号検出ステップでは、特定の音声信号を検出すると音声信号検出回路は制御部を制御するための制御信号を生成し、制御ステップでは、特定の音声信号に対応した特定の画像及び／又はテキストと映像信号に従って表示される放送番組の画像を合成することにより特定の画像及び／又はテキストを表示するように制御信号に従って画像処理プロセッサを制御することを特徴とする。
【００３３】
また、本発明の信号処理プログラムは、コンピュータに、複数の音声信号を検出する音声信号検出ステップと、周辺装置のインターフェースを制御するための制御ステップと
を実行させる信号処理プログラムであり、音声信号検出ステップでは、所定の時間内に複数の特定の音声信号を検出すると音声信号検出回路は制御部を制御するための制御信号を生成し、制御ステップでは、複数の特定の音声信号に従って周辺装置の所定の制御を選択的に実行することを特徴とする。
【００３４】
また本発明の画像表示装置は、画像および音声を出力する出力手段と、画像もしくは音声またはこれらの組み合わせからなるパターンをユーザーに登録させるパターン登録手段と、登録されたパターンに関連して実行されるアクションをユーザーに指定させるアクション指定手段と、入力された画像信号または音声信号に前記パターンが含まれるか否か判定する判定手段と、前記パターンが含まれない場合は記憶された画像信号および音声信号を前記出力手段に出力し、前記パターンが含まれる場合は前記指定されたアクションを前記出力手段に実行させる制御手段と、を備えることを特徴とする。
【００３５】
この画像表示装置において、前記アクションは、前記記憶された画像信号および音声信号に替えて、予め指定された画像または音声を出力するものである構成を好適に採用できる。
【００３６】
また、ユーザーからの入力を受け付ける入力手段をさらに有し、前記アクションは、前記画像信号および音声信号の出力を一時停止した上で、前記入力手段によりユーザーからの入力を受け付けるものである構成を好適に採用できる。またこの構成において、前記パターンは、前記画像信号に商品販売価格の画像が含まれるか否かを判定するためのものであり、前記アクションは、前記入力手段によりユーザーから希望価格の入力を受け付けた後、前記画像信号の商品販売価格と並べて前記入力された希望価格を表示するものである構成を好適に採用できる。
【００３７】
また、入力された画像信号および／または音声信号に予め登録されたパターンが含まれ
るか否かを判定し、前記パターンが含まれる場合は予め指定されたアクションを画像および／または音声を出力する出力手段に実行させることを特徴とする方法の発明を本願は含んでいる。
【発明の効果】
【００３８】
本発明によると、従来なかった新規な番組に対応できる信号処理装置、信号処理方法、信号処理プログラム及び番組再生装置、番組再生装置を実現できる。
【発明を実施するための最良の形態】
【００３９】
以下に図面を参照して、この発明の最良な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００４０】
（第１の実施の形態）
本実施の形態を適用する放送番組の一例としては、生放送のクイズ番組を想定している。具体的には番組制作者側がその番組中に適用される特定の可聴音（以下、音声キーワードと記述）、例えば、クイズの正解やクイズの正解に近い言葉を予め決めておく。そして、放送局は、従来のデータ放送データを送信する仕組みを利用して音声キーワードを受信装置に送出する。その音声キーワードをクイズ番組の出演者が発した事を受信装置側で検出する。ここで検出とは、放送番組の音声信号が受信装置で再生されて可聴音が出力された場合に、音声キーワードを音声信号が含んでいる事を検出する事をいう。その検出タイミングで図２（ａ）の１２０１で示す受信装置の画像表示部上に１２０２で示すようなグラフィック（画像）及び／又は１２０３で示すような図２（ｂ）のテキストを多重表示するものである。
【００４１】
図１に上述の制御を実現する為のデジタルテレビ受信装置の構成とその周辺環境を示すブロック図を示す。デジタルテレビ放送受信装置は音声処理装置の一例である。
【００４２】
図１において符号が指し示すものは、アンテナ１０１、チューナーモジュール１０２、デマルチプレクサ１０３、ビデオデコーダ１０４、オーディオデコーダ１０５、表示合成部１０６、ＤＡＣ１０７、表示制御部１０８、音声制御部１０９、画像表示部１１０、音声出力部１１１、制御バス１１２、記録媒体１１５、ＣＰＵ１１６、キーワードデータベース部１１７、キーワード抽出部１１８、音声変換部１１９、受光部１２１、リモコン１２２である。画像表示部１１０は、図２の画像表示部１２０１に相当する。
【００４３】
図１において、アンテナ１０１により受信した信号はチューナーモジュール１０２に入力される。チューナーモジュール１０２は、入力された信号に対して、復調、誤り訂正等の処理を施し、ＴＳを形成し、デマルチプレクサ１０３に出力する。
【００４４】
デマルチプレクサ１０３は、チューナーモジュール１０２より入力された複数チャンネル分の映像データ、音声データ、ＥＰＧを構成するＳＩデータ、及び上述の音声キーワードやグラフィックデータ（画像データ）１２０２１１０２を含むデータ放送データが時分割多重されているＴＳの中から、各データの取り出し制御を行う。
【００４５】
デマルチプレクサ１０３により取り出された映像データは、ビデオデコーダ１０４に出力され、ＭＰＥＧ２等の復号化処理を行った後、表示合成部１０６に送出される。
【００４６】
デマルチプレクサ１０３により取り出された音声データは、オーディオデコーダ１０５に出力され、ＭＰＥＧ１、２等の復号化処理を行った後、ＤＡＣ１０７に送出される。
【００４７】
デマルチプレクサ１０３により取り出されたＳＩデータ、データ放送データは、制御バス１１２を介して記録媒体１１５に一時蓄積される。それらデータは必要に応じてＣＰＵ１１６によって読み出され、データのデコード処理を行い、表示データを形成する。データ放送データに含まれていた音声キーワード及びグラフィックデータ１２０２は、デマルチプレクサ１０３により取り出した後、音声キーワードとグラフィックデータ１２０２と関連付してキーワードデータベース部１１７に登録される。
【００４８】
グラフィックデータ１２０２がデータ放送データに含まれていない場合は、キーワードデータベース部１１７に予め登録されたキーワードと画像データを関連づけて登録しておいてもよい。この際に、データ放送データに含まれていた音声キーワードと予め登録された画像データを関連づけてキーワードデータベース部１１７に登録するようにしてもよい。
【００４９】
ビデオデコーダ１０４によって復号された映像データは、表示合成部１０６を介して、表示制御部１０８に送られ、画像表示部１１０に適した表示データ、表示タイミングを形成し、画像表示部１１０に映像（画像）表示を行う。表示合成部１０６は、ＣＰＵ１１６においてデコード、形成されたＥＰＧ表示データ、データ放送表示データを映像データと合成する事が可能である。
【００５０】
オーディオデコーダ１０５においてデコードされた音声データは、ＤＡＣ１０７及び音声変換部１１９に出力され、ＤＡＣ１０７において、デジタル−アナログ変換が施され、音声制御部１０９に出力される。音声制御部１０９は、サラウンド出力機能、イコライザ機能、出力アンプ等を内蔵し、音声チャンネル（例えば、左（Ｌｅｆｔ）右（Ｒｉｇｈｔ）チャンネル）毎の出力制御を行い、スピーカーに相当する音声出力部１１１を介して、音声出力を行う。
【００５１】
以下、本発明のポイントとなるオーディオデコーダ１０５から出力される音声データから、特定のキーワードを抽出し、そのタイミングにより受信装置に備える機能の制御を行う方法について述べる。
【００５２】
音響特性抽出部２０１において、オーディオデコーダ１０５から入力される音声データは、周波数等の音響的な特徴量が抽出される。
【００５３】
音響データベース管理部２０３、言語データベース管理部２０４には、各々音声変換部１１９において識別可能な単語が登録されている言語データベース、単語の音響特性データが登録されている音響データベースが読み込まれている。これらのデータベースは記録媒体１１５に保存されている。
【００５４】
音声識別デコーダ２０２は、識別可能な単語が登録されている言語データベース管理部２０４を用いて、正しいと思われる単語の候補を複数、推定、選別する。更に単語の音響特性データが登録されている音響データベース管理部２０３を用いて、確からしさの評価を前述の如く推定、選別された複数個の単語の候補から、最も確からしい単語を選別し、音声データのテキストデータへの変換を行う。
【００５５】
上述の如く変換されたテキストデータは、キーワード抽出部１１８に出力される。
【００５６】
キーワード抽出部１１８は、変換されたテキストデータから、いわゆる「てにをは」である助詞を取り除き、機器制御の為の「キーワード」となる単語を抽出し、キーワードデータベース部１１７に出力する。
【００５７】
キーワードデータベース部１１７においては、キーワード抽出部１１８から出力された単語と登録されている音声キーワードデータとの比較を行う。この比較の結果、キーワード抽出部１１８から出力された単語と登録されている音声キーワードが一致した場合、キーワードデータベース部１１７は、ＣＰＵ１１６に対する制御指示（制御信号）を送る。ＣＰＵ１１６はその制御指示に応じ、記録媒体１１５に一時蓄積した図２のグラフィックデータ１２０２の読み出し、デコード処理を行い、表示合成部１０６（画像処理プロセッサ）においてグラフィックデータ１２０２を映像データと合成し、図２に示したような画像の表示を行う。
【００５８】
このように、放送局側から予め送信されたクイズの正解又はクイズの正解に近い言葉などの音声キーワードと出演者などの回答に含まれる「キーワード」となる単語が一致した場合、ＣＰＵ１１６は音声キーワードと予め関連づけられた画像の表示を行う。
【００５９】
尚、上述したキーワードデータベース１１７、キーワード検出部１１８、音声変換部１１９は、一つの集積回路としてＦＰＧＡのような書き換え可能なハードウェアとして、一つの集積回路上に実装されても良いし、複数の集積回路上に実装されても良い。また、ＣＰＵ１１６において実行されるソフトウェアプログラムとしても実装可能である。
【００６０】
以上述べた通り、入力される音声データから特定の可聴音（音声キーワード）を検出し、その音声キーワードが検出されるタイミングに従って、所定の機器制御を実行する。従来のデジタル放送システムによるイベントメッセージや特許文献１の技術による制御信号多重による機器制御を行う事と比較すると、生放送番組等において放送局側が意図しないタイミングで受信装置の機能制御が実施でき、番組制作の柔軟性が向上する。また音声データによって制御タイミングを決定する為、放送局等の送信側においてその制御信号をリアルタイムに多重する装置をなくす事も可能となる。
【００６１】
（第２の実施の形態）
本発明の第２の実施の形態を説明する。図４は本実施の形態に係るデジタル放送受信装置の全体構成と、その周辺環境を示すブロック図である。
【００６２】
図４において、アンテナ１０１、チューナーモジュール１０２、デマルチプレクサ１０３、ビデオデコーダ１０４、オーディオデコーダ１０５、表示合成部１０６、ＤＡＣ１０７、表示制御部１０８、音声制御部１０９、画像表示部１１０、音声出力部１１１、制御バス１１２、インターネット１２１３、インターネット接続制御部１２１４、記録媒体１１５、ＣＰＵ１１６、キーワードデータベース部１２１７、キーワード抽出部１１８、音声変換部１１９、外部接続機器制御部１２２０、受光部１２１、リモコン１２２、外部接続機器１２２３である。
【００６３】
本実施の形態においては、放送される放送番組中の音声データから複数の音声キーワードを取り出し、機器の機能制御を行なう動作について説明する。放送番組の受信、表示等の基本動作に関しては、第１の実施の形態と同様である為、割愛する。
【００６４】
キーワード抽出部１１８は、第１の実施の形態と同様の動作により変換されたテキストデータから、いわゆる「てにをは」である助詞を取り除き、後述する機器制御の為の「キーワード」となる単語を抽出し、キーワードデータベース部１２１７に出力する。
【００６５】
図５に示すものは、キーワード抽出部１１８によって抽出された「キーワード」の組み合わせによって、周辺機器制御、機能制御を行う為のキーワードデータベース部１２１７における制御フローの一例である。
【００６６】
図６に示すものは、図４の記録媒体１１５に保存され、図５の制御において用いられる「第一キーワード表」、図７〜図１０で示すものは、各々、図４の記録媒体１１５に保存され、図５の制御において用いられる「第二キーワード表１」〜「第二キーワード表４」である。
【００６７】
図５のＳ３０１において、図４のキーワードデータベース部１２１７は、キーワード抽出部１１８から抽出されたキーワードデータの入力を待つ。キーワードデータの入力があった場合、Ｓ３０２において、「第二のキーワード待ち」状態であるかどうかのチェックを行う。「第二のキーワード待ち」状態への遷移については、Ｓ３０６における動作説明部分で後述する。Ｓ３０２において、「第二のキーワード待ち」状態でなかった場合には、Ｓ３０３に進み、「第二のキーワード待ち」状態であった場合には、Ｓ３０７に進む。
【００６８】
Ｓ３０３においては、図４のキーワード抽出部１１８から入力された「キーワード」が、図６で示した「第一キーワード表」に登録されているかどうかの比較を行う。
【００６９】
Ｓ３０４において、図４のキーワード抽出部１１８から入力された「キーワード」が、図６で示した「第一キーワード表」に登録されていなかった場合には、Ｓ３１１に進む。反対に、図４のキーワード抽出部１１８から入力された「キーワード」が、図６で示した「第一キーワード表」に登録されていた場合には、Ｓ３０５に進む。
【００７０】
このＳ３０４での具体例を挙げると、図４のキーワード抽出部１１８から入力された「キーワード」が、「提供」というキーワードであった場合には、図６で示した「第一キーワード表」のｉｎｄｅｘ０において「提供」というキーワードが登録されている為、Ｓ３０５に進む事になる。
【００７１】
Ｓ３０５においては、第一のキーワードが登録されていた場合に、Ｓ３０７以降の処理で述べる第二のキーワード比較の為の、図７〜図１０で示したいずれかの「第二キーワード表」を図４の記録媒体１１５から読み込む。
【００７２】
このＳ３０５で読み込まれる「第二キーワード表」は、Ｓ３０４の処理結果に基づいて決定される。例えば、図４のキーワード抽出部１１８から入力されたキーワードが、「提供」というキーワードであった場合、図６で示した第一のキーワード表の「参照先」に記述される通り、「第二キーワード表１」が読み込まれる。また、図４のキーワード抽出部１１８から入力されたキーワードが、「番組」というキーワードであった場合、第一のキーワード表の「参照先」に記述される通り、「第二キーワード表４」が読み込まれる。
【００７３】
Ｓ３０６においては、Ｓ３０１における第一のキーワードと第二のキーワードの入力時間間隔をカウントする為のカウンタをスタートさせ、且つ、「第二のキーワード待ち」状態である事を示すフラグを立て、Ｓ３０１に戻り、次のキーワード入力を待つ事になる。前述のカウンタにおける最大のカウント時間は、図６で示した「第一キーワード表」に記述される「最大カウント値」を使用する。
【００７４】
Ｓ３０７においては、前述の通り、Ｓ３０２において、「第二のキーワード待ち」状態であったと判断されている為、図４のキーワード抽出部１１８から入力された「キーワード」が、図７〜図１０で示したいずれかの「第二キーワード表」に登録されているかどうかの比較を行う。ここで使用される「第二キーワード表」は、Ｓ３０５において既に読み込まれているものが使用される。
【００７５】
Ｓ３０８において、Ｓ３０７の比較処理の結果、図４のキーワード抽出部１１８から入
力された「キーワード」が、前述通り読み込まれた「第二キーワード表」に登録されていた場合には、Ｓ３０９に進む。反対に、登録されていなかった場合には、Ｓ３１２に進み、先述のＳ３０６で開始した第一のキーワードと第二のキーワードの入力時間間隔が所定のカウント値を超えていないかどうかのチェックを行う。所定のカウント値を超えていれば、Ｓ３１１に進み、Ｓ３０６でカウントスタートしたカウンタ値、及び「第二のキーワード待ち」状態である事を示すフラグを落とし、「第一のキーワード待ち」状態へと遷移し、Ｓ３０１において、新たなキーワードの入力を待つ。所定のカウント値を超えていない場合には、「第二のキーワード待ち」状態のまま、Ｓ３０１において、新たなキーワードの入力を待つ。
【００７６】
Ｓ３０９においては、Ｓ３０８における「第二キーワード」の一致の結果に従い、各々の第二のキーワード表１〜４に記述される「制御方法」に従い、機器の制御方法を決定する。
【００７７】
例えば、図４のキーワード抽出部１１８から入力された「第一のキーワード」が「提供」というキーワードであって、第二のキーワードが「ＡＢＣ」（この場合、例えば企業の名称例）であった場合には、インターネット接続制御を行う事になり、図４のインターネット接続制御部１２１４を介して、インターネット１２１３への接続を行う。
【００７８】
また、図４のキーワード抽出部１１８から入力された「第一のキーワード」が「宛先」というキーワードであって、第二のキーワードが「郵便番号」であった場合には、プリンタの制御を行う事になり、図４の表示制御部１０８から、映像フレームデータを取り出し、外部機器制御部１２２０を介して接続されるプリンタ（外部接続機器１２２３に相当）の制御を行い、取り出した映像フレームデータの印刷を行う。
【００７９】
また、図４のキーワード抽出部１１８から入力された「第一のキーワード」が「番組」というキーワードであって、第二のキーワードが「ドラマ３」（この場合、例えば放送される番組の名称例）であった場合には、記録装置（例えば、Ｄ−ＶＨＳ機器等）の制御を行う事になり、図４のデマルチプレクサ１０３から所望の番組データストリームを取り出し、外部機器制御部１２２０を介して接続される記録装置（外部接続機器１２２３に相当）の制御を行い、取り出したストリームデータの記録を行う。なお、ここでは、外部機器制御部１２２０を介して接続される記録装置（外部接続機器１２２３に相当）の制御を行う事としたが、図４の記録媒体１１５を制御し、取り出したストリームデータの記録を行う事としても良い。
【００８０】
上述のように外部機器制御部１２２０は、複数のポート（インターフェース）に複数種類の外部接続機器１２２３を接続している。そして、ＣＰＵ１１６は複数のキーワード（特定の音声信号）に従って周辺機器のインターフェースを制御し、選択された周辺機器の所定の制御を選択的に実行する。  上述した外部機器制御部１２２０と複数の外部接続機器１２２３間の接続を有線で接続する場合には機器制御信号の出力部として出力端子、無線で接続する場合には無線信号出力制御回路を設ければ良い。
【００８１】
Ｓ３１０における上述通りの機器制御、機能制御の後、Ｓ３１１に進み、Ｓ３０６でカウントスタートしたカウントをストップし、カウンタ値をクリアし、及び「第二のキーワード待ち」状態である事を示すフラグを落とし、「第一のキーワード待ち」状態として、Ｓ３０１へ戻る。
【００８２】
以上に述べたキーワード表に登録されるキーワードは、視聴中の番組に付与されたＳＩデータからＣＰＵ１１６によりキーワードを抽出する事で、キーワード表への登録、更新が可能である。この場合、ＣＰＵ１１６は、前述の通り、記録媒体１１５に一時蓄積され
た視聴中の番組に関連するＳＩデータを読み出し、ＳＩデータに記述される番組名称情報、番組内容記述情報、出演者情報のフィールドから、前述のキーワード抽出部１１８における機能同様、助詞を取り除き、後述する機器制御、機能制御の為の「キーワード」となる単語を抽出し、キーワードデータベース部１２１７に出力する。その後、キーワードデータベース部１２１７はＣＰＵ１１６から入力されたキーワードを図７〜図１０で示したような「第二キーワード表」へ登録、更新を行い、記録媒体１１５への保存を行う事になる。更には、リモコン１２２を使用した受信装置のユーザーの操作により、キーワード表への登録、更新される構成としても良い。
【００８３】
以上述べた通り、入力される音声データから特定の音声キーワードを検出し、特定の音声キーワードが検出されることに従って、音声キーワードにより決定される所定の制御を実行させるので、従来のデジタル放送システムによるイベントメッセージのような受信する多くのユーザーに共通して有益となると考えられる制御に限らず、受信するユーザーの自分の好みに応じた個別の制御を実行させるような多彩な制御を行わせることができる。
【００８４】
また、入力は音声データだけであるので、放送局等の送信側で制御信号を他の信号とは別に生成することはなく、送信側に制御信号を生成する装置や送出する装置は必要なくなる。
【００８５】
（第３の実施の形態）
本発明の第３の実施の形態を説明する。本実施の形態に係るデジタルテレビ放送受信装置の全体構成と、その周辺環境を示すブロック図は上述の第２の実施の形態と同様、図４である。
【００８６】
本実施の形態には、記録媒体１１５に保存され、キーワードデータベース部１２１７において使用されるキーワード表に登録されるキーワードデータや、音声変換部１１９において使用する識別可能な単語が登録されている言語データベース、単語の音響特性データが登録されている音響データベースデータを、インターネット接続制御部１２１４を介し、インターネット上に存在する不図示のサーバーからのダウンロードによって登録、更新するよう構成する。
【００８７】
更には、キーワードデータや言語データベースや音響データベースを、図４のＣＰＵ１１６がデコード処理するＳＩデータから得られる視聴中の番組の属するジャンル情報や、リモコン１２２を介してユーザーにより指定されるチャンネル番号により可変させるよう構成する。
【００８８】
以上によれば、周辺機器や受信機機能を制御するトリガとなるキーワードの組み合わせや、番組毎に異なる音声データの音響特性の違いをより柔軟に可変できる為、更に受信装置のユーザーの利便性を向上させる事が可能となる。
【００８９】
（第４の実施の形態）
本発明の第４の実施の形態を説明する。本実施の形態に係るデジタルテレビ放送受信装置の全体構成と、その周辺環境を示すブロック図は上述の第２の実施の形態と同様、図４である。
【００９０】
図４の受信装置において、Ｄ−ＶＨＳ機器等、番組データストリームを記録・再生可能な機器（例えば、外部接続機器１２２３に相当）から、音声データを含むデータストリームを受信し、再生する際にも、第２の実施の形態と同様、音声データから抽出されるキーワードの組み合わせにより、受信装置に接続される周辺機器を制御したり、受信装置の有する機能を制御したりすることも可能である。
【００９１】
また、その際に、一部の制御機能を動作不能とする構成とすれば、Ｄ−ＶＨＳ機器等で記録した番組データを後に再生して視聴する時に、「Ｄ−ＶＨＳ機器に記録する」等のキーワードの組み合わせが含まれていた場合の機器制御上の不具合を未然に防止する事が可能となる。
【００９２】
なお、上記実施の形態においては、キーワードを抽出する音声信号データ入力手段をチューナーモジュール１０２を介したＴＶ放送波や、Ｄ−ＶＨＳ機器等の記録・再生可能な機器としたが、マイク等の音声入力手段を図１２の受信装置に接続し、マイクを介して入力されるユーザーの声からキーワードを抽出し、受信装置に接続される周辺機器を制御したり、受信装置の有する機能を制御したりする構成とする事も可能である。
【００９３】
また、上記実施の形態においては、図４のキーワード抽出部１１８が抽出したキーワードの組み合わせにより、受信装置に接続される周辺機器を制御、受信装置の有する機能を制御する構成としていたが、図５の制御フローの変更、図６〜図１０のキーワード表の変更、追加によって、ただ１つのキーワードにより、または、３つ以上のキーワードの組み合わせにより、上記実施の形態と同様の制御を実施する事が可能である。
【００９４】
また、上記実施の形態の説明中に記述した番組とは、コマーシャルメッセージ（所謂、ＣＭ）を含み、音声キーワードを企業名称や製品名称とし、音声キーワードを検出する事で、インターネットから製品情報等を取り出し、図１、図４の記録媒体１１５に蓄積したり、プリンタにより印刷したりするようにしても良い。この際に、検出した音声キーワードを検索キーワードとして、インターネットを介して検索を実行する。
【００９５】
さらに、上記実施の形態においては、図１、図４で示される受信装置として本発明を説明したが、音声処理を行う装置であれば受信装置に本発明は限られず、また上記実施の形態で示した手順で行われる方法の発明や当該方法を受信装置等の装置に実行させるプログラムの発明や当該プログラムを記録した記録媒体の発明としても成立するものである。
【００９６】
本発明によると、従来なかった新規な番組に対応できる信号処理装置、信号処理方法、信号処理プログラム及び番組再生装置、番組再生装置を実現できる。
【００９７】
以上複数の実施の形態の構成を説明したが、上記の構成以外にも様々な構成を採用できる。以上の構成では音声キーワードを検出する構成を採用したが、特定の画像を検出する構成も採用できる。また、検出対象を送信者側（放送局等の放送主体や、番組製作者）で特定する構成ではなく、受信者側で特定する構成も採用できる。以下ではさらにいくつかの実施の形態の例を示す。
【００９８】
（第５の実施の形態）
図１３は、以下で示す実施形態に係るテレビジョン装置の構成を示している。
【００９９】
テレビジョン装置は、チューナー１３１、Ａ／Ｄ変換器１３２、バッファメモリ１３３、比較器１３４、特徴パターン入力部１３５、特徴パターン記憶部１３６、アクション指定部１３７、メッセージデータ作成部１３８、コントローラー１３９、出力制御部１３１０、ディスプレイ１３１１を備える。
【０１００】
チューナー１３１は、無線放送、有線放送、インターネットを介した映像放送等のテレビジョン信号を受信する。そして、チューナー１３１は、テレビジョン信号からアナログビデオ信号（画像信号）とアナログオーディオ信号（音声信号）を生成する。
【０１０１】
Ａ／Ｄ変換器１３２は、チューナー１３１から入力される画像信号および音声信号をデジタル信号に変換する。バッファメモリ１３３は、デジタル変換後の画像信号および音声信号を一時的に記憶する記憶手段である。このバッファメモリ１３３はＦＩＦＯ（ファースト・イン・ファースト・アウト）でアクセスされる。
【０１０２】
特徴パターン入力部１３５は、画像もしくは音声またはこれらの組み合わせからなる特徴パターン（以下、単に「パターン」という。）をユーザーに入力させる機能である。例えば、予め用意された複数種類のパターンをディスプレイ１３１１に表示し、ユーザーにその中から選択させるとよい。あるいは、ユーザーに自由にパターンを入力させてもよい。ここで入力されたパターンは、特徴パターン記憶部１３６に登録される。すなわち、本実施形態では、特徴パターン入力部５と特徴パターン記憶部１３６が、本発明のパターン登録手段に対応する。
【０１０３】
なお、パターンの入力はコントローラー１３９を利用して行われる。コントローラー１３９はユーザーからの入力を受け付ける入力手段である。図１３のようなテンキータイプのものでもよいし、キーボードやポインティングデバイスのような形式のものでもよい。また、テレビジョン装置のリモコンと兼用のものでもよいし、ディスプレイ１１がタッチパネルの場合には画面上に表示されるＧＵＩでもよい。
【０１０４】
アクション指定部１３７は、特徴パターン入力部１３５において登録されたパターンに関連して実行されるアクションをユーザーに指定させる機能（アクション指定手段）である。アクションとは、本装置もしくはディスプレイ１３１１にて実行される処理であり、例えば、画面を非表示にする、音声を消す、画面をポーズする、といった簡単なアクションから、本来の画像信号および音声信号に替えて、予め指定された画像または音声を出力するとか、画像信号および音声信号の出力をポーズ（一時停止）した上で、コントローラー１３９によりユーザーからの入力を受け付ける、といったものなどがある。メッセージデータ作成部８は、このアクション実行時にディスプレイ１３１１に表示するメッセージ（画像）を作成する機能である。
【０１０５】
比較器１３４は、バッファメモリ１３３に一時的に記憶された画像信号または音声信号に、特徴パターン記憶部１３６に登録されているパターンが含まれるか否か判定する機能（判定手段）である。この判定処理は、画像認識、音声認識、パターンマッチングなどの技術を利用すればよい。これらの技術は既存のものを利用可能なため、ここでは詳しい説明を省略する。比較器１３４での判定結果（比較結果）は、出力制御部１３１０に渡される。
【０１０６】
出力制御部１３１０は、比較器１３４から受け取った判定結果に従って、ディスプレイ１３１１に出力させる画像および音声を制御する機能（制御手段）である。詳しくは、出力制御部１３１０は、判定結果が「偽」の場合（つまり、画像信号または音声信号にパターンが含まれない場合）は、その画像信号および音声信号をディスプレイ１３１１に出力させる。逆に、判定結果が「真」の場合（つまり、パターンが含まれる場合）は、そのパターンに関連付けられているアクションをディスプレイ１３１１に実行させる。
【０１０７】
上記構成によれば、ユーザー側において、好ましくないコンテンツに含まれ得るパターンを事前に登録しておけば、テレビジョン装置がそのパターンに該当するコンテンツを自動判別し、コンテンツの出力を適切に制限する。よって、コンテンツ供給者側では、コンテンツに格付けデータ等の属性情報を付加する必要がない。
【０１０８】
なお、テレビジョン装置は、チューナー１３１を内蔵する構成としてもよいし、ＳＴＢ（セットトップボックス）やＶＴＲのようにチューナー機能を備える外部機器と画像表示
装置との組み合わせで構成してもよい。
【０１０９】
（この実施形態における具体的な構成例１）
構成例１では、コンテンツの一例としていわゆるテレビショッピング番組（商品の紹介を行い、通信販売を行う番組）を挙げて、テレビジョン装置の具体的な動作を説明する。
図１４は、構成例１における処理の流れを示すフローチャートである。図中、下線部はユーザーの動作、その他は本装置の動作である。
【０１１０】
まず、装置の電源をオンして、テレビ番組の視聴を開始する（ステップＳ２０１）。
【０１１１】
テレビショッピング番組が始まると、ユーザーは特徴パターン入力部５を介してパターンを入力する（ステップＳ２０２）。具体的には、ユーザーがコントローラー１３９の「＊」ボタンを押して、特徴パターン入力機能を起動する。すると、特徴パターン入力部１３５が、予め用意されているパターンのリストをディスプレイ１３１１に表示する。ユーザーはコントローラー１３９の数字ボタンを操作して、そのパターンリストの中から所望のパターンを選択する。ここでは、「円」と「￥」の２つのパターンが選択されたものとする。「円」や「￥」は、画像信号に商品販売価格の画像が含まれるか否かを判定するためのパターンである。選択されたパターンは特徴パターン記憶部１３６に登録される。
【０１１２】
パターンの選択が完了すると、アクション指定処理に移る。アクション指定部１３７が、予め用意されているアクションのリストをディスプレイ１３１１に表示する。このアクションリストは、ステップＳ２０２にて選択されたパターンに応じたものが表示される。ユーザーはコントローラー１３９の数字ボタンを操作して、アクションリストの中から所望のアクションを選択する。ここでは、「『円』または『￥』が現れたら、表示を隠し、ユーザーに対して、希望価格の入力を促す。その値を、商品価格が示されている画面に重ね合わせて表示する。」という内容のアクションが選択されたものとする。
【０１１３】
このようにパターンとアクションが指定されると、本装置は、チューナー１３１から入力される画像信号をＡ／Ｄ変換し、各フレームの画像データをバッファメモリ１３３に格納していく（ステップＳ２０３）。音声信号についても同様である。
【０１１４】
そして、比較器１３４が、バッファメモリ１３３からＦＩＦＯ方式で画像を読み出し（ステップＳ２０４）、その画像に上記パターン「円」または「￥」が含まれているか否かを画像認識処理によって判断する（ステップＳ２０５）。
【０１１５】
もしパターンが含まれていなければ（ステップＳ２０６；ＮＯ）、その画像をそのままディスプレイ１３１１に表示する（ステップＳ２０７）。同時に音声も出力する。
【０１１６】
もし、パターンが含まれていたら（ステップＳ２０６；ＹＥＳ）、つまり、画像中に商品販売価格が含まれていたら、表示と音声出力を一時停止する。ただし、Ａ／Ｄ変換した画像および音声の格納処理は継続して行う。
【０１１７】
そして、メッセージデータ作成部１３８が「希望価格を入力して下さい」という画像を生成し、出力制御部１３１０がその生成された画像をディスプレイ１３１１に表示する（ステップＳ２０８）。ユーザーはコントローラー１３９の数字ボタンを操作して希望価格を入力することができる（ステップＳ２０９）。
【０１１８】
希望価格の入力が終わると、出力制御部１３１０はその希望価格を画像に変換して、パターンが含まれていた（商品販売価格が含まれていた）画像に希望価格の画像を合成する。このとき、商品販売価格と希望価格が重ならないように合成処理を行う。出力制御部１
３１０は、この合成画像をディスプレイ１３１１に表示する（ステップ２１０）。ユーザーはこの合成画像をみることにより、実際の商品販売価格と自分の希望価格を比較検討することができる。この表示を数秒間行った後、比較器１３４および出力制御部１３１０は、バッファメモリ１３３から続きを読み取り、前記判断処理を続ける。
【０１１９】
本構成例では、いわゆるテレビショッピングを単に受動的に視聴するのではなく、自分で商品の価値を判断する時間を取ることができ、購入判断が冷静にできるというメリットがある。    
（構成例２）
図１５Ａおよび図１５Ｂは、構成例２における処理の流れを示すフローチャートである。
【０１２０】
まず、ユーザーは、コントローラー１３９を操作してパターンとアクションを登録する（ステップＳ３０１）。ここでは、「円」および「￥」の画像パターンと、「拍手」という音声パターンが登録されたものとする。また、画像パターンに関連したアクションとして、「『円』または『￥』が現れたら、表示を隠し、ユーザーに対して、希望価格の入力を促す。その値と商品販売価格とを比較し、その比較結果を画面に表示する。」という内容を指定する。音声パターンに関連したアクションとしては、「拍手が起こっている間は音声を消す。」という内容を指定する。
【０１２１】
パターンとアクションの登録が完了すると、本装置は動作モードを「通常モード」にセットして、入力番組の表示を開始する（ステップＳ３０２）。
【０１２２】
「通常モード」では、入力された画像信号および音声信号は、Ａ／Ｄ変換され、バッファメモリ１３３に記憶された後、ＦＩＦＯ方式で順次読み出され、ほぼリアルタイムにディスプレイ１３１１に出力される。このとき、比較器１３４は、１０フレームごとの画像にパターン認識処理を施し、当該画像信号がテレビショッピング番組のものであるか否かを自動判別する（ステップＳ３０３、Ｓ３０４）。例えば、画像に「テレショップ」や「テレビショッピング」などの文字が含まれ、かつ、その文字の領域が画像サイズの２０％以上の大きさである場合に、テレビショッピング番組の画像信号であると判定する。
【０１２３】
テレビショッピング番組の開始を検知すると、本装置は動作モードを「遅延モード」にセットする（ステップＳ３０５）。以降、５秒分の画像信号および音声信号がバッファリングされ、５秒遅れの画像および音声が出力される。
【０１２４】
そして、比較器４は、１０フレームごとの画像にパターン認識処理を施し、その画像に上記画像パターン「円」または「￥」が含まれているか否かを判断する（ステップＳ３０６、Ｓ３０７）。例えば、画像に、数字＋「円」または「￥」＋数字が含まれ、かつ、その文字の領域が画像サイズの１０％以上の大きさである場合に、パターンが含まれると判定すればよい。また並行して、比較器４は、音声認識処理によって、音声信号に「拍手」が含まれているか否かを調べる。拍手を検出したら音声出力を一時的に停止する（Ｓ３０８）。
【０１２５】
もしパターンが含まれていたら（ステップＳ３０６；ＹＥＳ）、表示と音声出力を一時停止する。ただし、画像および音声のバッファリングは継続して行う（ステップＳ３０９）。
【０１２６】
そして、文字認識処理によって、パターンが含まれていた画像から商品販売価格が抽出され、その価格がメモリに格納される（ステップＳ３１０）。続いて、構成例１と同様、メッセージデータ作成部１３８により生成された「希望価格を入力して下さい」という画
像が表示され（ステップＳ３１１）、ユーザーから希望価格の入力を受け付ける（ステップＳ３１２）。
【０１２７】
希望価格が入力されると、出力制御部１３１０は、その希望価格と画像から抽出した商品販売価格とを比較し、両価格の間に５０％以上の差があるか否かを調べる（ステップＳ３１３）。差が５０％以上の場合には、メッセージデータ作成部８によってその旨のメッセージが生成され、ディスプレイ１３１１に表示される（ステップＳ３１４）。その後、バッファリングが解除され（ステップＳ３１５）、ステップＳ３０６の処理に戻る。
【０１２８】
本構成例の処理によれば、（１）テレビショッピング番組の開始を装置が自動的に検知する、（２）パターンが含まれるか否かの判定は毎フレームではなく、複数フレームごとに行われる、（３）パターンとアクションの入力が予め行われる、（４）画像だけでなく音声情報もパターンとして登録できる、などの利点がある。
【０１２９】
なお、上記構成例は本発明の一具体例を例示したものにすぎない。本発明の範囲は上記実施例に限られるものではなく、その技術思想の範囲内で種々の変形が可能である。
【０１３０】
たとえば、上記構成例では、テレビショッピング番組を例示したが、本発明はそれ以外のコンテンツに対しても好ましく適用可能である。暴力シーンや破壊シーンを含むコンテンツの表示制限を行う場合には、パターンとして暴力音や破壊音を登録すればよいし、光過敏性てんかんを誘発するコンテンツの表示制限を行う場合には、パターンとして高輝度の点滅を繰り返す画像を登録すればよい。
【０１３１】
また、パターンとして「正解は」や「答えは」という音声を登録し、クイズ番組で解答が発表される直前に画面を自動的にポーズさせて、ユーザーによる解答入力を行わせるなどのアクションを実行することも可能である。すなわち、本発明は、ノンインタラクティブなコンテンツを擬似的にインタラクティブにするという利点もある。
【０１３２】
以上詳述したとおり、本発明の各実施形態によれば、要するに、入力された画像信号および／または音声信号に予め登録されたパターンが含まれるか否かを判定し、前記パターンが含まれる場合は予め指定されたアクションを画像および／または音声を出力する出力手段に実行させることにより、コンテンツに属性情報を付加する必要が無く、かつ、好ましくないコンテンツの出力を適切に制限することができる。また、本発明の方法は、画像表示装置などにインストールされて実行されるコンピュータプログラムの形態で配布されるものであってもよい。
【図面の簡単な説明】
【０１３３】
【図１】発明の実施形態に係るデジタルテレビ放送受信装置の全体構成と、その周辺環境を示すブロック図。
【図２】発明の実施形態に係る特定の可聴音を受信装置が検出した場合に表示される画面の一例を示す図。
【図３】音声変換部の構成を示すブロック図。
【図４】発明の実施形態に係るデジタルテレビ放送受信装置の全体構成と、その周辺環境を示すブロック図。
【図５】キーワードデータベース部における制御フローの一例。
【図６】キーワードデータベース部で使用される第一キーワード表。
【図７】キーワードデータベース部で使用される第二キーワード表１。
【図８】キーワードデータベース部で使用される第二キーワード表２。
【図９】キーワードデータベース部で使用される第二キーワード表３。
【図１０】キーワードデータベース部で使用される第二キーワード表４。
【図１１】従来例に係るデジタル放送送信システムの構成を示すブロック図。
【図１２】従来例に係るデジタル放送受信装置において、映像、音声データ、及びデータ放送データ等を取り出す場合の説明図。
【図１３】本発明の一実施形態に係るテレビジョン装置の構成を示す図。
【図１４】一実施形態における処理の流れを示すフローチャート。
【図１５Ａ】一実施形態における処理の流れを示すフローチャート。
【図１５Ｂ】一実施形態における処理の流れを示すフローチャート。
【符号の説明】
【０１３４】
１０１  アンテナ
１０２  チューナーモジュール
１０３  デマルチプレクサ
１０４  ビデオデコーダ
１０５  オーディオデコーダ
１０６  表示合成部
１０７  表示制御部
１０８  音声制御部
１０９  画像表示部
１１０  音声出力部
１１１  制御バス
１１５  記録媒体
１１７、１２１７  キーワードデータベース部
１１８  キーワード抽出部
１１９  音声変換部
１２１  受光部
１２２  リモコン
２０１  音響特性抽出部
２０２  音声識別デコーダ
２０３  音響データベース管理部
２０４  言語データベース管理部
１２１３  インターネット
１２１４  インターネット接続制御部
１２２０  外部接続機器制御部
１２２３  外部接続機器
１３１  チューナー（信号回路）
１３２  Ａ／Ｄ変換器
１３３  バッファメモリ（記憶手段）
１３４  比較器（判定手段）
１３５  特徴パターン入力部（パターン登録手段）
１３６  特徴パターン記憶部（パターン登録手段）
１３７  アクション指定部（アクション指定手段）
１３８  メッセージデータ作成部
１３９  コントローラー（入力手段）
１３１０  出力制御部（制御手段）
１３１１  ディスプレイ（出力手段）
【図１】
2006148870.tif 000003
【図２】
2006148870.tif 000004
【図３】
2006148870.tif 000005
【図４】
2006148870.tif 000006
【図５】
2006148870.tif 000007
【図６】
2006148870.tif 000008
【図７】
2006148870.tif 000009
【図８】
2006148870.tif 000010
【図９】
2006148870.tif 000011
【図１０】
2006148870.tif 000012
【図１１】
2006148870.tif 000013
【図１２】
2006148870.tif 000014
【図１３】
2006148870.tif 000015
【図１４】
2006148870.tif 000016
【図１５Ａ】
2006148870.tif 000017
【図１５Ｂ】
2006148870.tif 000018